(57)【特許請求の範囲】
【請求項１】
縦方向に延在すると共に上側部が筒部で、下側部が平板部からなる支持部と、該支持部の上端に連続して設けている底壁と周壁とからなる受け部と、該受け部に着脱自在に被せる蓋とからなり、前記受け部と蓋で囲まれた忌避剤収容部を設け、
前記支持部の筒部は前記受け部の底壁に設けた通気孔の一部と連通させると共に、該筒部の少なくとも上側に周方向と上下方向に間隔をあけて横向きの通気孔を設け、
前記忌避剤収容部に収容する動物忌避剤の臭気を前記支持部の筒部に導入し、該筒部の前記通気孔より臭気を周方向に発散できる構成としていることを特徴とする動物忌避剤収容具。
【請求項２】
前記支持部は断面十字形の杭状とし、上側部の筒部は断面十字形状の筒部とし、その中心の中空部から４方へ延在する４つの突出部の中空部を連通させ、これら４つの突出部の少なくとも直径方向に対向する２つの突出部に前記通気孔を設け、または、
前記支持部の筒部は円筒形状とすると共に下側部は断面十字形状の杭状としている請求項１に記載の動物忌避剤収容具。
【請求項３】
前記蓋はドーム形状、角錐筒形状とし、その頂点に吊下用環を突設し、該蓋の下端に前記受け部の底壁に着脱自在に係止する係止爪を突設している請求項１または請求項２に記載の動物忌避剤収容具。
【請求項４】
前記受け部の底壁に設けて前記筒部と連通する前記通気孔は杭形状とした前記支持部の下端部を上方から挿入できる形状とし、前記支持部を積み重ねて高さ調節可能とし、または、前記支持部の下端に台座を設けている請求項１乃至請求項３のいずれか１項に記載の動物忌避剤収容具。
【請求項５】
前記忌避剤収容部に収容する動物忌避剤が落下しない大きさの通気孔をあけた忌避剤保持スペーサを底壁の上面に着脱自在に敷設している請求項１乃至請求項４のいずれか１項に記載の動物忌避剤収容具。
【請求項６】
前記忌避剤収容部に動物忌避剤を収容しており、
前記動物忌避剤は、全質量１００部中に、少なくとも木タールを２０〜７０質量部、ニンニクを１〜５質量部を含み、天然素材を９０質量部以上とし、粒状タイプ、固形タイプ又は、液状タイプであり、前記液状タイプでは吸着材に吸着させている請求項１乃至請求項５のいずれか１項に記載の動物忌避剤収容具。
【請求項７】
前記動物忌避剤は、さらに、ニーム、ハバネロ、木酢液あるいは／およびセラミックセメントを含んでいる請求項６に記載の動物忌避剤収容具。
【発明の詳細な説明】
【技術分野】
【０００１】
本発明は動物忌避剤収容具に関し、特に猫、犬が忌避する臭いを発散する忌避剤の臭いを猫、犬に対して効果的に発散できる動物忌避剤収容具に関する。
【背景技術】
【０００２】
前記動物忌避剤を収容する収容具としては、例えば、特開平８−１８７０４９号公報で、図７に示すように、土中に突き刺す杭状の支持棒１００の上端に、犬猫忌避剤１０１を収容する収容部１０２を設け、該収容部１０２を蓋体１０３で覆う収容具が提案されている。
該収容具では収容部１０２の底壁１０２ａに通気部１０４を設けているため、忌避剤の臭いは下向きのみに向けて発散される。
【０００３】
また、従来、この種の動物忌避剤として、例えば、特開平８−１５１３１１号公報では、紅藻類きりんさい属及び／又はいぎす属に属する海藻の抽出物からなる液が提案されている。また、特開平７−２４７２０７号公報では、ケロシンを有効成分としている。
【先行技術文献】
【特許文献】
【０００４】
【特許文献１】特開平８−１８７０４９号公報
【特許文献２】特開平８−１５１３１１号公報
【特許文献３】特開平７−２４７２０７号公報
【発明の概要】
【発明が解決しようとする課題】
【０００５】
特許文献１の動物忌避剤収容具では、通気部１０４を収容部１０２の底壁に設けているため、臭いは下向きに発散されるだけであるため、臭気の拡散範囲が狭い問題がある。
【０００６】
また、本発明者が、特許文献２、３等において従来提案されている動物忌避剤を収容具に充填して臭いを発散させて、犬、猫の撃退の実験を行ったが、より効果的に撃退するには忌避剤を改良の余地があることが判明した。
【０００７】
本発明は前記問題に鑑みてなされたもので、収容した忌避剤の臭いの発散方向を改良して、犬猫に忌避剤の臭いを確実に嗅がせることができる動物忌避剤収容具を提供することを課題としている。
【課題を解決するための手段】
【０００８】
前記第１の課題を解決するため、本発明は、縦方向に延在すると共に上側部が筒部で、下側部が平板部からなる支持部と、該支持部の上端に連続して設けている底壁と周壁とからなる受け部と、該受け部に着脱自在に被せる蓋とからなり、前記受け部と蓋で囲まれた忌避剤収容部を設け、
前記支持部の筒部は前記受け部の底壁に設けた通気孔の一部と連通させると共に、該筒部の少なくとも上側に周方向と上下方向に間隔をあけて通気孔を設け、
前記忌避剤収容部に収容する動物忌避剤の臭気を前記支持部の筒部に導入し、該筒部の前記通気孔より臭気を周方向に発散できる構成としていることを特徴とする動物忌避剤収容具を提供している。
【０００９】
前記のように、本発明の動物忌避剤収容具では、支持部に動物忌避剤の臭気を導入すると共に、導入した臭気を縦方向に間隔をあけて前後方向あるいは／および左右方向に向けて水平方向に発散させる通気孔を設けている。よって、支持部の上端に設けている忌避剤収容部の底壁に設けている通気孔から下向きに臭気を発散させるだけでなく、支持部の上側から前後あるいは／および左右方向に横向きで且つ上下に間隔をあけた位置から臭気を略全周に向けて発散、流動させることができ、臭気の拡散範囲を広くすることができる。本発明者の実験では、動物忌避剤収容具を中心として２ｍの範囲へと臭気を拡散させることが出来た。
そのため、犬、猫等の動物の鼻の高さ位置が相違しても、近寄ってくる動物の鼻の高さ位置に臭気を発散させることができ、より確実に動物を撃退できる。
【００１０】
前記支持部は断面十字形の杭状とし、上側部の筒部は断面十字形状の筒部とし、その中心の中空部から４方へ延在する４つの突出部の中空部を連通させ、これら４つの突出部の少なくとも直径方向に対向する２つの突出部に前記通気孔を設け、または、
前記支持部の筒部は円筒形状とすると共に下側部は断面十字形状の杭状としてもよい。
【００１１】
前記のように筒部は断面十字形状の筒部とし、その中心の中空部から４方へ延在する４つの突出部の中空部を連通させる場合、４つの突出部の全てに前記通気孔を設けてもよい。その場合は、通気孔の大きさは動物忌避剤が落下しない小さい通気孔とすることが好ましい。
または、前記のように、断面十字形状の前記支持部の対向する一対の２つの突出部に前記通気孔を設けると共に直交する他の突出部には通気孔を設けず、かつ、通気孔を設けた突出部では最上位の通気孔の上部で中空部の上面を閉鎖してもよい。
該構成とすると、筒状の支持部を忌避剤をこぼれ落とすことなく忌避剤の副収容部として利用でき、忌避剤の収容容積を増加することができる。
【００１２】
前記のように支持部の上側筒部を断面十字形状とすると共に下側平板部も断面十字形状とし、前記受け部の底壁に設ける通気孔の一部を前記下側平板部の下端の十字形状よりも一回り大きい十字孔とし、別の動物忌避剤収容具を積み重ねて高さ調節できるようにすることが好ましい。
このように、複数の動物忌避剤収容具を組み合わせると、臭気の発散位置を高くでき、背の高い動物に対しても有効な位置で臭気を発散させることができる。
【００１３】
前記支持部は、前記のように、下部の平板部を下向きに収険して土中やペットボトルに突き刺して立設する杭形状とても良いし、平板部の下端に地面設置用の置台または三脚部を突設してもよいし、平板部の下端に前記置台および三脚を着脱自在に連結できるようにしてもよい。さらに、前記蓋の上端に吊下紐取付環を突設してもよい。
前記のように、本発明の動物忌避剤収容具は、突き刺す、設置する、吊り下げるのいずれの設置方法にも対応でき、使い勝手の良いものとしている。
【００１４】
また、前記底壁と周壁とからなる忌避剤収容部には、収容する動物忌避剤が落下しない大きさの通気孔をあけた忌避剤保持スペーサを底壁の上面に着脱自在に敷設してもよい。この場合、底壁自体の通気孔の形状が忌避剤が落下しない大きさに限定されず、前記支持部の筒部との連通孔を大きく取ることができる。
【００１５】
前記忌避剤収容部に収容する動物忌避剤は、全質量１００部中に、少なくとも木タールを２０〜７０質量部、ニンニクを１〜５質量部を含む天然素材を９０質量部以上の粒状タイプ、固形タイプ、液状の動物忌避剤としていることが好ましい。
前記動物忌避剤は、詳しくは、直径２ｍｍ〜１５ｍｍの粒状タイプでは、更にニームおよびハバネロを含み、直径２．５ｃｍ〜３ｃｍの矩形状または円形の固形タイプでは更に木酢液、セラミックセメントを含んでいる。
液状タイプでは更に木酢液を含み、液をフェルト、スポンジ、ゼオライト、パーライト等からなる吸着材に含浸させている。
【００１６】
詳しくは、前記粒状タイプでは、さらに、ニームは３〜７質量部、ハバネロは３〜７質量部、その他の忌避物質として汎用されている天然成分としている。
前記固形タイプでは、さらに、セラミックセメントは４０〜６０質量部を含んでいる。
前記液状タイプでは、さらに、木酢液３０〜４０質量部を配合している。
る。
【００１７】
前記動物忌避剤の主成分の一つである木タールは、木を蒸し焼きした時に出る煙を液化したものである。該木タールの臭いで、動物は危険な山火事を本能的に認識し、近寄らない習性を有していることが、古来より認識されている。
また、前記ニーム、ニンニク、ハバネロ等の臭いのきつい成分も天然素材であり、天然素材１００％とすると、安心して取り扱うことができる。
【００１８】
前記した動物忌避剤の組成物は、本発明者が鋭意実験をして動物を効果的に撃退できることを知見した組成物からなる。かつ、前記組成物の各成分の配合量も鋭意実験を繰り返して、最も効果のある割合を知見したものである。
【発明の効果】
【００２０】
本発明の動物忌避剤収容具では、特に、忌避剤の臭気を下向きだけでなく、水平方向の横向きに発散でき、空気流動で、臭気を広範囲に拡散できる。その結果、猫、犬、さらには、ハト、カラスの鳥類、イノシシ、イタチ、キツネ、アライグマ、ヘビ、モグラ等の動物を撃退することができる。
【図面の簡単な説明】
【００２１】
【図１】本発明の第１実施形態の動物忌避剤収容具を示し、（Ａ）は正面図、（Ｂ）は側面図、（Ｃ）は平面図、（Ｄ）は底面図である。
【図２】前記第１実施形態の要部を示し、（Ａ）は支持部と受け部の要部を示す拡大正面図、（Ｂ）は支持部の筒部の要部拡大斜視図、（Ｃ）は忌避剤保持スペーサの平面図である。
【図３】動物忌避剤を収容して臭気が発散される状態を示す正面図である。
【図４】第１実施形態の第１変形例を示す要部断面図である。
【図５】第１実施形態の第２変形例を示し、（Ａ）は正面図、（Ｂ）は側面図、（Ｃ）は平面図、（Ｄ）は底面図である。
【図６】第２実施形態を示し、（Ａ）は正面図、（Ｂ）は側面図、（Ｃ）は平面図、（Ｄ）は底面図である。
【図７】従来例を示す図面である。
【発明を実施するための形態】
【００２２】
以下、本発明を図面に示す実施形態に基づいて詳述する。
図１乃至図３に第１実施形態の動物忌避剤収容具（以下、収容具と略称する）を示す。  収容具１は、土中又はペットボトルへ差し込んで立設するタイプである。
【００２３】
収容具１は樹脂成形品からなり、縦方向に延在すると共に水平断面形状が十字形状の支持部３と、該支持部の上端に連続して設けている底壁４ａと周壁４ｂとからなる受け部４とを一体に設けた本体２と、該本体２の受け部４の上面開口に被せるドーム状の蓋５とからなり、受け部４と蓋５とで囲まれる部分を忌避剤収容部６としている。
【００２４】
前記支持部３は下端に向けて収険する杭形状としている。また、支持部３の下半側部は断面十字形状の平板部３ａとすると共に上半側部は筒部３ｂとし、該筒部３ｂの上端開口３ｂ１を前記受け部４の底壁４ａに設けた十字形状の通気孔７ａと連通させている。かつ、該通気孔７ａは、支持部３の平板部３ａの下端部分より一回り大きく形成し、別の収容具１の支持部３を上方から差し込んで支持部の高さを延長できるようにしている。
【００２５】
前記支持部３の上側部の筒部３ｂでは、図２に拡大して示すように、中心の中空部Ｃ１から９０度間隔をあけて４方へ延在する４つの突出部８（８Ａ〜８Ｄ）の各中空部Ｃ２〜Ｃ５に連通させている。よって、これら４つの突出部８の中空部Ｃ２〜Ｃ５は、中心の中空部Ｃ１、通気孔７ａを介して忌避剤収容部６と連通している。
また、前記４つの突出部８のうち、一対の対向する突出部８Ａと８Ｂとには、上下高さ方向に間隔をあけて、水平方向の通気孔９を設けている。該突出部８Ａ、８Ｂと直交方向の突出部８Ｃと８Ｄには通気孔を設けていない。
【００２６】
忌避剤収容部６を囲む受け部４の底壁４ａは、前記支持部３の中空部と連通する十字形状の通気孔７ａの回りに、通気孔７ａの各辺と４５度間隔をあけて中心側から外周に向けて径方向の通気孔７ｂを設けている。
【００２７】
前記多数の通気孔７ａ、７ｂをあけた底壁４ａの上面には、収容する粒状タイプの動物忌避剤２０が落下しない大きさの小さい通気孔１０を間隔をあけて多数設けた樹脂成形品からなる円形の忌避剤保持スペーサ１１を着脱自在に敷設している。
【００２８】
前記受け部４に被せる蓋５は、前記のようにドーム形状で、その下端には９０度間隔をあけて内周面から係止爪部５ａを突設している。該蓋５は受け部４の周壁４ｂに上方から外嵌し、前記係止爪部５ａを底壁４ａの周縁に係止して蓋５を取り付けるようにしている。かつ、蓋５のドーム頂点位置に吊下用環５ｂを一体に形成し、吊り下げ配置できるようにしている。
【００２９】
前記本体２に蓋５を取り付けた組み立て状態での全高さは２００〜３００ｍｍ、支持部３が全高さの７０〜８０％、受け部４の底壁４ａの直径は５０〜１００ｍｍ程度としている。
【００３０】
前記構成の収容具１を使用する際、図３に示すように、本体２の受け部４に粒状タイプの動物忌避剤２０を挿入し、その後、蓋５を被せて底壁４ａに係止固定し、忌避剤収容部６に動物忌避材２０を充填保持している。
【００３１】
前記粒状タイプの動物忌避剤２０は、主として猫の忌避に効果を有するものであり、
本実施形態で用いる動物忌避剤２０は、全質量を１００部とすると、木タールが２５質量部、ニームが５質量部、ハバネロが５質量部、ニンニクが５質量部、その他の忌避物質として汎用されている天然成分とし、１００％天然成分を配合した組成物からなる。
粒の大きさは、直径が２ｍｍ〜１５ｍｍとし、前記受け部４の底壁４ａに配置した忌避剤保持スペーサ１１の通気孔１０より落下しないようにしている。
【００３２】
使用時には支持部３の下半側部の平板部３ａを土中またはペットボルトの容器に差し込んで、収容具１を立設しておく。
【００３３】
収容具１の忌避剤収容部６内に充填している動物忌避剤２０から発散する臭気は、忌避剤保持スペーサ１１の通気孔１０、底壁４ａの通気孔７ｂを通って、大気中に下向きに発散される。
また、底壁４ａの中央の通気孔７ａを通して支持部３の上半側部の筒部３ｂの中空部Ｃ１〜Ｃ５へと臭気が導入され、筒部３ｂの直径方向に突出する突出部８Ａ、８Ｂに設けた通気孔９から臭気が大気中に向けて水平方向に発散する。かつ、該通気孔９は上下方向にも間隔をあけて設けているため、上下複数段で水平方向に発散し、収容具１の全周に向けて臭気が拡散していく。
【００３４】
このように、本発明の収容具１では動物忌避剤の臭気を下向きだけでなく、縦方向の支持部に横向きに貫通孔を設けることにより、水平方向に臭気を発散でき、下向きの臭気と横向きの臭気とが衝突して乱流が発生し、臭気を収容具１の全周辺に拡散できる。
本発明者が実験した結果、２ｍの範囲まで臭気が拡散していることが確認できた。
よって、収容具１を２ｍ間隔で設置すると、臭いのバリアを設けることができ、該バリアで囲まれた家屋内に忌避するノラ猫やノラ犬、イノシシ等の動物が侵入するのを防止できる。また、既に侵入している動物がいると、該動物を追い出すことができる。
なお、収容具１は土中やペットボトルに突き刺して立てる方法に代えて、壁や木から吊り下げて配置することもできる。
さらに、２個の収容具１を用い、１本を土中に突き刺し、その受け部４の底壁の通気孔７ａに２本目の収容具１の支持部３を下端から挿入して嵌合し、積み上げて高さを大とすることもできる。この場合、大型犬や、イノシシ等の大型動物の鼻の高さ位置に臭気を発散できるように通気孔９の位置を合わせることができる。
【００３５】
図４に第１実施形態の第１変形例を示す。
該第１変形例では、支持部３の上半側部の筒部３ｂでは、通気孔９を設けている突出部８Ａ、８Ｂの最上位置の通気孔９の上位置に中空部Ｃ２、Ｃ３を閉鎖する上面閉鎖壁３ｄを設けている。
よって、受け部の底壁４ａの通気孔７ａより筒部３ｂの突出部８Ｃ、８Ｄに粒状の動物忌避剤２０が落下して収容できる一方、通気孔９を設けた突出部８Ａ、８Ｂの中空部Ｃ２、Ｃ３には粒状の動物忌避剤２０は上面閉鎖壁３ｄにより遮断されて落下されてこない。
このように、支持部３の筒部３ｂの一部の突出部８Ｃ、８Ｄを動物忌避剤２０の副収容部に利用し、他の突出部８Ａ、８Ｂを臭気発散用として用いてもよい。
【００３６】
図５に第１実施形態の第２変形例を示す。
該変形例では、支持部３の上半側部は円筒形状の筒部３ｂとし、その外周面の直径方向の対向位置に上下縦方向に間隔をあけて通気孔９を設けている。支持部３の下半側部は前記実施形態と同様な断面十字形状の平板部３ａとしている。
また、蓋５はドーム形状にかえて８角錐形状とし、各辺の傾斜面の下端は垂直方向に延在している。
【００３７】
第２変形例では、本体２の受け部４と蓋５とで囲まれた忌避剤収容部６内に収容する動物忌避剤として、２５ｇの立方体形状の固形タイプを用いている。
該固定タイプの動物忌避剤は、木タール４３質量部、ニンニク２質量部、セラミックセメント５５質量部としている。
他の構成および作用効果は前記第１実施形態と同様であるため、同一符号を付して説明を省略する。
【００３８】
図６に第２実施形態を示す。
第２実施形態では、支持部３の下端に円形の置台１５を設け、支持部３は全長にわたって断面十字形状の筒部としている。第１実施形態と同様に突出部８Ａ、８Ｂに通気孔９をあけている。
また、忌避剤収容部６の内部には、フェルト、スポンジ、または天然鉱石の吸着剤に液状タイプの動物忌避剤を含浸させて収容している。動物忌避剤が気化して発散する臭気は支持部３の突出部８Ａ、８Ｂの通気孔９を通って全周に拡散する。かつ、受け部４の底壁４ａの通気孔７ｂからも発散する。
【００３９】
前記液状タイプの動物忌避剤は、全質量１００部中に、木タール６０質量部、木酢液３８質量部、ニンニク２質量部、その他の天然素材を配合して、１００％天然素材から形成している。
【００４０】
本発明は前記実施形態に限定されず、本発明の要旨を逸脱しない範囲の実施形態が含まれる。
【符号の説明】
【００４１】
１  動物忌避剤収容具
３  支持部
３ａ  平板部
３ｂ  筒部
４  受け部
４ａ  底壁
４ｂ  周壁  
５  蓋
７ａ、７ｂ、９  通気孔
１１  忌避剤保持スペーサ
２０  動物忌避剤
【図１】
0005593080.tif 000002
【図２】
0005593080.tif 000003
【図３】
0005593080.tif 000004
【図４】
0005593080.tif 000005
【図５】
0005593080.tif 000006
【図６】
0005593080.tif 000007
【図７】
0005593080.tif 000008